【手続補正書】
【提出日】平成18年9月1日(2006.9.1)
【手続補正１】
【補正対象書類名】特許請求の範囲
【補正対象項目名】全文
【補正方法】変更
【補正の内容】
【特許請求の範囲】
【請求項１】
複数の小さいコンポーネントをハンドリングして保持するために用いられるキャリアであって、
複数のコンポーネント受容領域を有する堅固な樹脂本体部分と、
前記堅固な本体部分のコンポーネント受容領域上に形成されたコンポーネント接触層と、
を有し、前記コンポーネント接触層は、前記コンポーネントと接触して保持するための上方に面した露出接触表面と、堅固な本体部分に接着された下方に面した被覆面とを有し、前記接触層が、20ダイン／cmから100ダイン/cmの間の表面エネルギと、約ショアA15からショアD75の間の硬度と、約1×104オーム／平方から1×1012オーム／平方の間の表面電気抵抗とを有する静電気消散性の熱可塑性エラストマ材料から形成され、前記材料は、接触表面が下方を向くようにトレイが反転されたときに、複数の小さいコンポーネントを前記接触表面上に維持するのに十分な接着性を付与するようになっているキャリア。
【請求項２】
前記熱可塑性エラストマ材料が、ウレタン、ポリブチレンテレフタレート、ポリオレフィン、ポリエチレンテレフタレート、スチレンブロックコポリマ、スチレンブタジエンラバー及びポリエーテルブロックポリアミドから成る熱可塑性エラストマのグループから選択される請求項１記載のキャリア。
【請求項３】
前記熱可塑性エラストマ材料が熱可塑性硫化物である請求項１記載のキャリア。
【請求項４】
前記熱可塑性エラストマ材料が本来的に静電気消散性のポリマ又は本来的に導電性のポリマと混合されている請求項１記載のキャリア。
【請求項５】
前記熱可塑性エラストマ材料がフィラー材料を含有している請求項１記載のキャリア。
【請求項６】
前記フィラー材料が無機の導電性材料である請求項５記載のキャリア。
【請求項７】
前記無機の導電性材料がカーボンファイバ、カーボンパウダ、金属粒子又はセラミック粒子である請求項６記載のキャリア。
【請求項８】
前記フィラー材料が有機材料である請求項５記載のキャリア。
【請求項９】
前記有機材料が、第四アンモニウム塩、スルフォニウム塩、アルキルスルフォン酸塩、アルキル硫酸塩、アルキルリン酸塩、エタノールアミド、エタノールアミン又は脂肪族アミンである請求項８記載のキャリア。
【請求項１０】
前記接触表面の各々が、その接着性を低減するために、その上に形成された多数の凹部又は凸部を有している請求項１記載のキャリア。
【請求項１１】
前記本体部分が、アクリロニトリルブタジエンスチレン、ポリカーボネート、ウレタン、ポリフェニレン、スルフィド、ポリスチレン、ポリメチルメタクリレート、ポリエーテルケトン、ポリエーテルエーテルケトン、ポリエーテルケトンケトン、ポリエーテルイミド、ポリスルフォン及びスチレンアクリロニトリルから成る堅固な熱可塑性材料のグループから選択された堅固な熱可塑性材料から形成されている請求項１記載のキャリア。
【請求項１２】
前記堅固な本体部分が、堅固なポリエチレン、ポリプロピレン、フルオロポリマ、ポリオレフィン、ポリアミド又はナイロンから形成されている請求項１記載のキャリア。
【請求項１３】
前記堅固な本体部分と前記下方に面した被覆面との間に挟まれた接着材の結合層をさらに有する請求項１記載のキャリア。
【請求項１４】
前記接触表面が約30ダイン／cmから約45ダイン／cmの間の表面エネルギを有している請求項１記載のキャリア。
【請求項１５】
前記接触表面が約40ダイン／cmの表面エネルギを有している請求項１記載のキャリア。
【請求項１６】
前記本体部分が、周辺境界部分と、下方へ延びるスカート部分とを有し、前記スカート部分は、トレイを積み重ねたときに、別のトレイの周辺境界部分と係合するようになっている請求項１記載のキャリア。
【請求項１７】
前記堅固な本体部分が約1×104オーム／平方から約1×1012オーム／平方の間の表面電気抵抗を有する請求項１記載のキャリア。
【請求項１８】
前記堅固な本体部分が導電性である請求項１記載のキャリア。
【請求項１９】
前記堅固な本体部分のコンポーネント受容領域の各々が堅固な本体部分内に形成されたポケットである請求項１記載のキャリア。
【請求項２０】
前記接触表面の上に配置された格子部材をさらに有し、前記格子部材が複数のコンポーネント受容領域を形成している請求項１記載のキャリア。
【請求項２１】
複数の小さいコンポーネントをハンドリングして保持するためのキャリアトレイを製造する方法であって、
プラスチック材料を射出成形することによって複数のコンポーネント受容領域を有する堅固な樹脂本体部分を形成する段階と、
前記堅固な本体部分上に熱可塑性エラストマをオーバーモールドすることによって、
コンポーネントと接触して保持するための上方に面した露出コンポーネント接触表面と、堅固な樹脂本体部分に接着された下方に面した被覆面とを有する静電気消散性のコンポーネント接触層を形成する段階と、
を有し、前記コンポーネント接触層は、約20ダイン／cmから約100ダイン/cmの間の表面エネルギと、約ショアA15から約ショアD75の間の硬度と、約1×104オーム／平方から約1×1012オーム／平方の間の表面電気抵抗とを有し、前記コンポーネント接触表面は、前記トレイを反転したときに複数のコンポーネントの各々を保持するのに十分な接着性を有している方法。
【請求項２２】
前記堅固な本体部分上に複数の機械式接合構造を形成する段階をさらに有する請求項２１記載の方法。
【請求項２３】
前記本体部分が、堅固なポリエチレン、ポリプロピレン又はフルオロポリマから形成されており、前記本体部分の一部を、コロナ、プラズマ、火炎又は化学的処理プロセスで表面処理する段階をさらに有している請求項２１記載の方法。
【請求項２４】
前記本体部分と前記コンポーネント接触層との間に中間結合層を形成する段階をさらに有する請求項２１記載の方法。
【請求項２５】
前記コンポーネント接触表面上に多数の均一な凹部又は凸部を形成する段階をさらに有する請求項２１記載の方法。
【請求項２６】
積み重ね可能なキャリアトレイと、このキャリアトレイの中に保持される複数のコンポーネントとを組み合わせたシステムであって、
表面をそれぞれ有する複数のコンポーネントと、
複数のキャリアトレイと、
を有し、前記トレイの各々が、
堅固な樹脂本体部分と、
熱可塑性樹脂から形成された静電気消散性のコンポーネント接触層と、
を有し、コンポーネント接触層は、コンポーネントと接触して保持するための上側表面と、堅固な樹脂本体部分に接着された下方に面した被覆面とを有し、前記堅固な樹脂本体部分が、周辺境界領域と、前記複数のトレイを積み重ねたときにトレイのうちの別の一つの周辺境界領域と係合する少なくとも一つの下方へ延びる構造とを有し、前記コンポーネント接触層の上側表面がコンポーネント接触表面を有し、前記コンポーネント接触表面が、約20ダイン／cmから約100ダイン/cmの間の表面エネルギと、約ショアA15から約ショアD75の間の硬度と、約1×104オーム／平方から約1×1012オーム／平方の間の表面電気抵抗とを有し、前記複数のコンポーネントにおける各コンポーネントの表面が前記コンポーネント接触表面と係合可能であり、前記複数のコンポーネントの各コンポーネントが前記コンポーネント接触表面との接着のみによって横方向及び垂直方向に拘束され、前記接着は、トレイを反転したときにコンポーネントが前記コンポーネント接触表面上の所定の位置に維持されるのに十分なようになっているシステム。
【請求項２７】
前記熱可塑性エラストマ材料が、ウレタン、ポリブチレンテレフタレート、ポリオレフィン、ポリエチレンテレフタレート、スチレンブロックコポリマ、スチレンブタジエンラバー及びポリエーテルブロックポリアミドから成る熱可塑性エラストマのグループから選択される請求項２６記載のシステム。
【請求項２８】
前記熱可塑性エラストマ材料が熱可塑性硫化物である請求項２６記載のシステム。
【請求項２９】
前記熱可塑性エラストマ材料が本来的に静電気消散性のポリマ又は本来的に導電性のポリマと混合されている請求項２６記載のシステム。
【請求項３０】
前記熱可塑性エラストマ材料がフィラー材料を含有している請求項２６記載のシステム。
【請求項３１】
前記フィラー材料が無機の導電性材料である請求項３０記載のシステム。
【請求項３２】
前記無機の導電性材料がカーボンファイバ、カーボンパウダ、金属粒子又はセラミック粒子である請求項３１記載のシステム。
【請求項３３】
前記フィラー材料が有機材料である請求項３０記載のシステム。
【請求項３４】
前記有機材料が、第四アンモニウム塩、スルフォニウム塩、アルキルスルフォン酸塩、アルキル硫酸塩、アルキルリン酸塩、エタノールアミド、エタノールアミン又は脂肪族アミンである請求項３３記載のシステム。
【請求項３５】
前記コンポーネント接触表面が、その接着性を低減するために、その上に形成された多数の凹部又は凸部を有している請求項２６記載のシステム。
【請求項３６】
前記堅固な本体部分が、アクリロニトリルブタジエンスチレン、ポリカーボネート、ウレタン、ポリフェニレン、スルフィド、ポリスチレン、ポリメチルメタクリレート、ポリエーテルケトン、ポリエーテルエーテルケトン、ポリエーテルケトンケトン、ポリエーテルイミド、ポリスルフォン及びスチレンアクリロニトリルから成る堅固な熱可塑性材料のグループから選択された堅固な熱可塑性材料から形成されている請求項２６記載のシステム。
【請求項３７】
前記堅固な本体部分が、堅固なポリエチレン、ポリプロピレン、フルオロポリマ、ポリオレフィン、ポリアミド又はナイロンから形成されている請求項２６記載のシステム。
【請求項３８】
前記本体部分と前記接触表面との間に挟まれた結合層をさらに有する請求項２６記載のシステム。
【請求項３９】
前記接触表面が約30ダイン／cmから約45ダイン／cmの間の表面エネルギを有している請求項２６記載のシステム。
【請求項４０】
前記接触表面の各々が約40ダイン／cmの表面エネルギを有している請求項２６記載のシステム。
【請求項４１】
前記本体部分が、周辺境界部分と、下方へ延びるスカート部分とを有し、前記スカート部分は、トレイを積み重ねたときに、別のトレイの周辺境界部分と係合するようになっている請求項２６記載のシステム。
【請求項４２】
前記堅固な本体部分が約1×104オーム／平方から約1×1012オーム／平方の間の表面電気抵抗を有する請求項２６記載のシステム。
【請求項４３】
前記堅固な本体部分が導電性である請求項２６記載のシステム。